(57)【要約】【課題】冬季に暖房していても高齢者は血圧降下剤を服用していると部屋の掃き出し窓、障子戸、畳、床のすき間から冷気が流入、床、畳面より１００ｃｍの高さ範囲に冷気がたまり、窓際と室内に温度差が２℃以上生じ身体が冷えて寒くなり、又、車、新幹線、航空機、船の窓際に着席すると走行中に身体が冷えて寒くなり通路側の席へ移動する必要がある。【解決手段】  冬季の部屋には掃き出し窓、障子戸のすき間から冷気が侵入しないように本発明の遮蔽体で冷気の流入場所を囲む。その遮蔽体は熱伝導率の少ない布を組み合わせて断熱手段を高め、布をプラスチックで挟み、遮蔽体に仕切り板を取付け、遮蔽体の周囲はゴムパッキンを固着し冷気が流入しないように気密手段と断熱手段を高め、窓幅に合せて長さが調整できようにした断熱手段と機密手段を備えた遮蔽体。【選択図】図１
2009270419.tif 000002
【特許請求の範囲】
【請求項１】
断熱性に優れた織物（布）は繊維と繊維の間に空気を多く含み、布の組み合わせは熱伝導率の小さい布を内側、熱伝導率の大きい布を外側に配置、プラスチックで挟み冷気が室内へ流入を遮蔽体で遮断、遮蔽体の内側と室内の温度差をなくす断熱手段の遮蔽体。
【請求項２】
組み合わせる織物（布）は熱伝導率が小さく水蒸気の吸収機能「吸湿」、水分を迅速に吸い上げ、布の表面に運ぶ機能「吸水」、吸収した水分を外気に吐き出す機能「放湿」を備えており、布が湿気、水分を含むと断熱性が低下するのを防ぐ断熱手段を高めた請求１項の遮蔽体。
【請求項３】
組み合わせた布はプラチツク（熱伝導率０．２１ｗ／ｍ・ｋ）で挟み、プラスチックを取付けた遮蔽体の周囲から冷気が室内へ流入を遮断する仕切り板を取付け、気密性を高めるために遮蔽体の周囲にゴムパッキンを固着し気密手段を高めた請求項１、又は請求項２記載の遮蔽体。
【請求項４】
高齢者の冬季の住宅は窓ガラス、風呂の窓からの放熱、窓、壁、床、畳、戸等のすき間から冷気が室内へ流入、たとえ住宅が断熱構造で暖房していても、冷気が流入する場所の床、畳面から高さ１００ｃｍの範囲に冷気がたまり室内へ流入を遮蔽体で遮断、断熱手段を高めた請求項１、又は請求項２、又は請求項３記載の遮蔽体。
【請求項５】
高齢者は冬季の車、新幹線、航空機、船、乗り物等の窓側に着席、たとえ耐寒構造で暖房していても走行中に気温の低下、走行時の乱流、寒風等の影響で機体が冷え、冷気が通路側へ流入、冷気の流れを遮蔽体で遮断、断熱手段を高めた請求項１、又は請求項２、又は請求項３、又は請求項４記載の遮蔽体。
【発明の詳細な説明】
【発明の詳細説明】
【技術分野】
【０００１】  冬季の部屋は窓ガラス、風呂場の窓ガラスからの放熱、冷気が窓、壁、床、畳、戸等のすき間から室内へ流入、高齢者は身体が冷えて寒くなるのを防ぐ遮蔽体に関する。【０００２】  高齢者は冬季に車、新幹線、航空機、船等の乗り物の窓際に着席、たとえ車体が耐寒構造で暖房していても走行中に窓側の席は身体が冷え寒く、寒さから身体を守る遮蔽体に関する。
【背景技術】
【０００３】  高齢者は血圧降下剤と冠動脈の血液改善を兼ねて処方された血管拡張剤を服用していると寒さによる抹梢血管の収縮まで妨げられることがあり、とくに低体温症の原因になる。（例えば、非特許文献１参照）【０００４】
【非特許文献１】川島美勝編著、「高齢者の住宅熱環境」理工学社出版、１９９４年６月２４日発行、Ｐ．４０
【０００５】  壁の近くに置かれた子供用の２段ベットは、上段１７℃、下段１５℃になり約２℃の温度差がみられた、就寝環境でこの２℃の温度差は、冬季は高齢者にとって２℃の温度差が有る場合は憂慮すべき温度差である。（例えば、非特許文献２参照）【０００６】
【非特許文献２】川島美勝編著、「高齢者の住宅熱環境」理工学社出版、１９９４年６月２４日発行、Ｐ．１９９
【０００７】  冬季における室温の上下温度分布は居間の床上１００ｃｍの温度のほうが１２００ｃｍの高さより温度が低くなり、とくに温度差が大きいのは、秋田、仙台の東北地方で、最高１４℃になる。（例えば、非特許文献３参照）【０００８】
【非特許文献３】川島美勝編著、「高齢者の住宅熱環境」理工学社出版、１９９４年６月２４日発行、Ｐ．２２２
【０００９】  障子に透明樹脂板を取付けて障子紙と透明樹脂の間の桟の厚さ１．５ｃｍ相当の空気層ができて、気密性が保たれるため防災、遮音、断熱効果ができ、紙の張り替えの際は透明樹脂を取外し可能であることが公開されている。（例えば、特許第３５１８５７８号公報参照）【００１０】  起立状に室内に設置する内装材本体の一部に、面状発熱体を装着する空間部を上下方向に設け、該空間部に面状発熱体を装着していることを特徴とする屋内の起立状内装材が公開されている。（例えば、実開平７−３５６１５号公報参照）【００１１】  窓硝子に直接、貼り付けるようにした断熱、防音用などのレース窓材およびそれを取り付けた窓に関するものが公開されている。（例えば、実用新案登録第３０８８７２９号公報参照）
【発明が解決しょうとする課題】
【００１２】  冷気は暖気より密度が重いため下に沈み床、畳面から高さ１００ｃｍの範囲にたまり、室内へ流入し身体が冷え、冷気がたまる空間を設け、冷気が室内へ流入するのを遮断し、身体を冷え寒さから守る必要の問題点があった。
【００１３】  冬季の浴室は窓ガラス、アルミサッシュの放熱、すき間風により窓際の温度と浴室の温度差ができ、たとえ風呂が沸いていても裸体が冷え血圧が上昇、高血圧性脳出血になる問題点があった。
【００１４】  高齢者は冬季の車、新幹線、飛行機、船等の乗り物の窓側の着席、たとえ車体が耐寒性の構造で暖房しても走行中に窓側の席は身体が冷え寒さから身体を守るために通路側の席へ移動する必要の問題点があった。
【００１５】  血圧降下剤を常用している高齢者は冬季の部屋の窓際と室内との温度差が２℃以上あると身体が冷え寒くなり、原因は窓ガラス、アルミサッシからの放熱、冷気はサッシ、床、畳、戸等のすき間を通り床、畳面から高さ１００ｃｍの範囲にたまり室内に温度差ができ、たとえ暖房していても寒くて暖房機の前から離れられない問題点があった。（畳の熱伝導率は表１を参照）
【００１６】  アルミサッシ枠の熱伝導率は板ガラスの熱伝導率の２６９倍であり、熱伝導率が大きいため放熱が多く、枠の下に冷気がたまり室内へ流入し温度を下げる。（表１参照）（例えば、非特許文献４参照）
【００１７】
【表１】
2009270419.tif 000003
【００１８】
【非特許文献４】柿沼整三、「建築断熱の考え方」オーム社出版、平成１６年５月２５日発行、Ｐ．８
【００１９】  植物は冬季に窓際に置くと昼間は日が当たり暖かいが夜間は寒さで枯れるため室内へ移動する必要がある。
【００２０】  屏風の紙、カーテンは湿気、水で濡れると乾燥時と比べ熱伝導率が２５倍になり断熱性が低下し寒くなる。（表２参照）
【００２１】
【表２】
2009270419.tif 000004
【００２２】
【非特許文献５】北山直方、「伝熱工学の学び方」オーム社出版、平成１９年２月５日発行、Ｐ．２１
【００２３】  カーテン、ブラインドの下端は床、畳面の間にすき間があり冷気が室内へ流入し身体は冷え寒くなる。
【００２４】  屏風の両端と窓、障子戸の間にすき間があり冷気が室内へ流入し身体が寒くなる。
【００２５】  二重ガラス戸構造の改築は高価な工事費を必要とし資源の消費とＣＯ２を発生する。
【００２６】  屏風は表面が紙で布より熱伝導率が大きく断熱性が低く、又外部からの光を遮断し室内が暗くなり採光性がない。（表３参照）（表４参照）
【００２７】
【表３】
2009270419.tif 000005
【００２８】
【非特許文献６】国立天文台編、「理科年表平成１６年」丸善株式会社出版、平成１５年１１月３０発行、Ｐ．４０２
【００２９】  屋内の起立状内装材に面状発熱体を装着するのは発熱源を必要としエネルギーの消費とＣＯ２を発生させる。
【００３０】  屏風の表面は紙のため汚損、破損、水で濡れる、火災の対策が必要である。
【課題を解決するための手段】
【００３１】
【００３２】  本発明の遮蔽体は熱伝導率の少ない布と熱伝導率の大きい布を重ね合わせて断熱性を高め、布を保護するプラスチックで囲い、窓幅に合わせて調整できるスライド方式、ジャバラ方式とし、又仕切り板を設けてすき間風を止め、遮蔽体の周囲をゴムパッキンで固着し気密手段を高め、冷気が室内へ流入を遮断、断熱と気密手段を備えた遮蔽体を製作する。
【００３３】  毛織物の布は繊維と繊維の間に空気を多く含み熱伝導率が小さく、断熱性が優れているために活用する。（表４参照）
【００３４】  絹織物の布は熱伝導率が小さく、水蒸気の吸着機能「吸湿」、水分を迅速に吸い上げ布の表面に運ぶ機能の「吸水」、そして繊維が吸収した水分を外気に吐き出す機能「放湿」にすぐれ、湿気、水分は遮蔽体の布に付着しても水分を外部に「放湿」し湿気、水よる断熱性が劣化するのを防ぐために活用する。（表４参照）
【００３５】  日本山岳会のエベレスト初登頂では下着にウール、羽毛服は自衛隊の落下傘用生地の絹布を利用、羊毛と絹布は高冷地の寒さ対策として優れていることが実証され羊織物、絹織物は熱伝導率が小さく断熱性が優れているため活用する。（表４参照）
【００３６】
【表４】
2009270419.tif 000006
【００３７】
【非特許文献７】北山直方、「伝熱工学の学び方」オーム社出版、平成１９年２月５０発行、Ｐ．２１
【００３８】  遮蔽体の布の高さは座った腰の高さ、又は遮蔽体の高さまでにする。
【００３９】  遮蔽体の上部はプラスチックで採光性があり、下部は断熱性の布である。
【００４０】  遮蔽体の表面は紙より少し燃えにくく、汚損、破損しにくいプラスチックで布を保護、プラスチックは透明、半透明、不透明でもよい。（表５参照）
【００４１】
【表５】
2009270419.tif 000007
【００４２】
【非特許文献８】西沢仁、「高分子の燃焼化技術」ジーエムシー出版、２００２年１１月２７日発行、Ｐ・３９
【発明の効果】
【００４３】外気温が０℃になり冷気の流入場所の床、畳面より１００ｃｍの高さの範囲にたまり、遮蔽体で冷気の流入場所を囲み、室内へ冷気の流入を遮断、遮蔽体の裏側の温度は４．８℃に下がるが、遮蔽体の内側と室内の温度は１０℃で温度差がなくなり身体の冷えと植物の枯れを防ぎ、又、窓際から２７００ｃｍ離れ、畳面から１２００ｃｍの高さの温度は１０℃で室内の温度差がなくなる。（表６参照）
【００４４】
【表６】
2009270419.tif 000008
【００４５】  冬季は暖房機として自然対流の熱伝達式の石油ストーブと電気こたつを利用、夜の外気温は１℃になり、寒さ対策として窓ガラスに空気層を形成した断熱性の樹脂フイルムを貼り、透明樹脂板を障子戸に取付け、遮蔽体を障子戸の前に設置、遮蔽体の裏側の温度は８．６℃に下がるが、内側の温度は１８．７℃で窓から９００ｃｍ離れ、高さ４００ｃｍの温度は２０℃で温度差が１．３℃で、室内と遮蔽体の内側の温度差は２℃以下で身体は冷え寒さから守られる。（表７参照）
【００４６】
【表７】
2009270419.tif 000009
2009270419.tif 000010
【００４７】  冬季の寝室は暖房機がなく、雪の夜の外気温は０℃に下がり寒さ対策とし窓のガラスに空気層を形成した断熱性の樹脂フイルムを貼り、透明樹脂板を取付け障子戸の前に遮蔽体を設置、遮蔽体の裏側の温度は４℃に下がるが内側の温度は１０．５℃で室内の温度は１２℃で、温度差は１．５℃で遮蔽体が冷気の室内へ流入を遮断、遮蔽体の内側と室内の温度差は２℃以下で身体は冷え寒さから守れる。（表１０参照）
【００４８】
【表１０】
2009270419.tif 000011
【００４９】  遮蔽体の布はプラスチックで保護され汚損、破損、水、火災から守れるがプラスチックと布に耐炎剤処理をすれば遮蔽体の耐炎性が向上する。
【産業上の利用可能性】
【００５０】  冬季に植物を窓際に置いても室内と本発明の遮蔽体の内側の温度差がなくなり夜間に室内へ移動する必要がなくなる。【００５１】  高齢者は冬季に高速運転の自動車、新幹線、飛行機、船等の乗り物に乗車し窓側に座っても、本発明の遮蔽体は冷気の通路側への流入を遮断するため身体の冷え寒さがなくなり通路側の席へ移動する必要がなくなる。【００５２】  夏季は窓ガラス、サッシュ枠に直射日光が当たり、窓際の温度は上昇するが本発明の遮蔽体は断熱性に優れているため暖気の流入を防ぎ、遮蔽体の裏側より内側の温度は５℃下がり冷房費の節減とＣＯ２の削減が出来る。【００５３】  冬季の室温は冷気の流入する場所に本発明の遮蔽体を設置することにより室内の温度差がなくなり暖房の温度を上げる必要もなくなり、エネルギーの節減とＣＯ２の削減ができる。
【発明を実施するための最良の形態】
【００５４】  以下、本発明の実施の形態を図１〜１８に基づいて説明する。【００５５】  図１の遮蔽体２０は移動遮蔽体１、固定遮蔽体３で構成され遮蔽体を伸ばした状態で、移動枠６、固定枠７にプラスチック２を取付け固定さん８で固着、案内板４が固定枠７に固着されている。【００５６】  Ｖガイド板５は移動枠６に固着してあり移動遮蔽体１が移動する時は固定枠７のＶ溝に倣って動く。【００５７】  図２の遮蔽体２０は移動遮蔽体１をスライドさせて縮め固定遮蔽体３に重ねることができる。【００５８】  図３の遮蔽体２０は断面でプラスチック２が織物Ａ１０、織物Ｂ１１を挟み、プラスチック板２は移動枠６と固定枠７に固定さん８で固着する。【００５９】  すき間風の侵入を防ぐ仕切り板１２は移動遮蔽体１と固定遮蔽体３の端に固着し、遮蔽体の両側のすき風を遮断、移動枠６と固定枠７の下端面にゴムパッキン１５を固着する。【００６０】  ゴムパッキン１５は移動枠６、固定枠７の重みで床、畳面に密着して気密性を保つ。【００６１】  移動遮蔽体１と固定遮蔽体３の中央の接するすき間はゴムパッキン１５を固着しすき間をなくす。【００６２】  布に付着した湿気、水分は移動枠６、固定枠７に加工してある通気孔１６を通して外部へ放湿され、布の乾燥を保つ。【００６３】  仕切り板１２の下面、立て面にゴムパッキン１５が固着してあり、すき間風を防ぎ、持ち運びが出来るように取手９を固着し、遮蔽体の転倒防止の遮蔽体足１３を固着部品１４で固着する。【００６４】  図４の平坦遮蔽体２２は室内の窓枠面、風呂場の窓枠面、戸の枠面に固着する。【００６５】  図５のジャバラ方式の遮蔽体２１は窓枠の幅にあわせて取付けできるように両端が伸縮できるジャバラ方式になっていて窓幅に合わせて調整し枠内に固着する。【００６６】  図６のジャバラ方式の遮蔽体２１は断面で識物Ａ１０、織物Ｂ１１をプラスチック２で挟み固着し、湿気が侵入しないように密封材１７で密封、遮蔽体の端面、下面にゴムパッキン１５を固着する。【００６７】  図７の胴体遮蔽体２３は新幹線、航空機の胴体と席の間に固着し冷気の流入を遮断する。【００６８】  図８の胴体遮蔽体２３は断面で織物Ａ１０、織物Ｂ１１をプライチック２で挟んで両端を密封材で密封する。【００６９】  図９の自動車左ドア遮蔽体２４はドア３０に取付けるドア遮蔽体１８と車体のサイド・フレームの内側に取付けるサイド・フレーム遮蔽体１９である。【００７０】  図１０の自動車右ドア遮蔽体２５はドア３０に取付けるドア遮蔽体１８と車体のサイド・フレームの内側に取付けるサイド・フレーム遮蔽体１９である。【００７１】  図１１の自動車左、右ドア遮蔽体２４、２５は断面で織物Ａ１０、織物Ｂ１１をプラスチック挟んで両端を密封材で密封する。【００７２】  図１２の遮蔽体２０は窓、戸２６の前に設置する。【００７３】  図１３の遮蔽体２０は窓幅に縮めて窓、戸２６に設置する。【００７４】  図１４のジャバラ方式の遮蔽体２１は窓の枠幅にジャバラで合わせて窓、戸に設置する。【００７５】  図１５の平坦遮蔽体２２は窓、戸の枠に固着する。【００７６】  図１６の胴体遮蔽体２３は航空機、新幹線等の胴体に固着、プライスックの形状は胴体の取付け面に合わせて成形し��体と席の間に固着する。【００７７】  図１７の自動車左ドア遮蔽体はドア３０のインナ・パネル３３にドア遮蔽体１８を固着し車体のサイド・フレーム３１の内側にサイド・フレーム遮蔽体１９を固着する。【００７８】  図１８の自動車右ドア遮蔽体はドア３０のインナ・パネル３３にドア遮蔽体１８を固着しサイド・フレーム３１にサイド・フレーム遮蔽体１９を固着する。【００７９】  ドアを閉めたときドア遮蔽体１８の下端はサイド・フレーム遮蔽体１９の上端に接する。【００８０】  ドア遮蔽体１８、サイド・フレ−ム遮蔽体１９の周囲はゴムパッキンを固着、冷気の流入を遮断し気密性を高めている。【００８１】  遮蔽体はプラスチックを活用し、プラスチックフイルムを活用するときは微細な空気孔がある材料を活用する。【００８２】  遮蔽体の高さは着席した腰の高さまで、又はそれ以上の高さまで遮蔽する。
【図面の簡単な説明】
【００８３】
【００８４】
【図１】  遮蔽体２０の実施形態を示す傾視図
【図２】  遮蔽体２０を縮めた実施形態を示す傾斜図
【図３】  遮蔽体２０のＡ−Ａ断面図
【図４】  平坦遮蔽体２２の実施形態を示す正面図
【図５】  ジャバラ方式の遮蔽体２１の実施形態を示す傾視図
【図６】  ジャバラ方式の遮蔽体２１のＢ−Ｂ断面図
【図７】  胴体遮蔽体２３の実施形態を示す傾視図
【図８】  胴体遮蔽体２３のＣ−Ｃ断面図
【図９】  自動車左ドア遮蔽体２４の実施形態を示す傾視図
【図１０】  自動車右ドア遮蔽体２５の実施形態を示す傾視図
【図１１】  自動車ドア遮蔽体２４、２５のＤ−Ｄ断面図
【図１２】  遮蔽体２０を窓、戸の前に設置した実施形態を示す傾視図
【図１３】  遮蔽体２０を縮め窓、戸の前に設置した実施形態を示す傾視図
【図１４】  ジャバラ方式の遮蔽体２１を窓、戸の窓枠に設置したジャバラ方式の実態形態を示す傾視図
【図１５】  平坦遮蔽体２２を窓、戸の窓枠に設置した実施形態を示す傾視図
【図１６】  胴体遮蔽体２３を航空機、新幹線の胴体に設置した実施形態を示す傾視図
【図１７】  自動車左ドア遮蔽体２４を自動車のドア３０に固着した実施形態を示す傾視図
【図１８】  自動車右ドア右遮蔽体２５を乗り物のドア３０に取付けた実施形態を示す傾視図
【符号の説明】
【００８５】  １  移動遮蔽体
２  プラスチック
３  固定遮蔽体
４  案内板
５  Ｖガイド板
６  移動枠
７  固定枠
８  固定さん
９  取手
１０  織物Ａ
１１  織物Ｂ
１２  仕切り板
１３  遮蔽体足
１４  固着部品
１５  ゴムパッキン
１６  通気孔
１７  密封材
１８  ドア遮蔽体
１９  サイド・フレーム遮蔽体
２０  遮蔽体
２１  ジャバラ方式の遮蔽体
２２  平坦遮蔽体
２３  胴体遮蔽体
２４  自動車左ドア遮蔽体
２５  自動車右ドア遮蔽体
２６  窓、戸
２７  窓枠
２８  航空機、新幹線の胴体
２９  自動車
３０  ドア
３１  サイド・フレーム
３２  シート
３３  インナ・パネル
３４  床
【図１】
2009270419.tif 000012
【図２】
2009270419.tif 000013
【図３】
2009270419.tif 000014
【図４】
2009270419.tif 000015
【図５】
2009270419.tif 000016
【図６】
2009270419.tif 000017
【図７】
2009270419.tif 000018
【図８】
2009270419.tif 000019
【図９】
2009270419.tif 000020
【図１０】
2009270419.tif 000021
【図１１】
2009270419.tif 000022
【図１２】
2009270419.tif 000023
【図１３】
2009270419.tif 000024
【図１４】
2009270419.tif 000025
【図１５】
2009270419.tif 000026
【図１６】
2009270419.tif 000027
【図１７】
2009270419.tif 000028
【図１８】
2009270419.tif 000029